(57)【特許請求の範囲】
【請求項１】
循環ポンプを用いて浴槽中の浴水を循環させながら清浄化する浴槽水清浄化装置であって、循環ポンプの上流側において浴槽中の浴水を吸入する吸入流路と、循環ポンプの下流側において清浄化された浴水を吐出する吐出流路を設け、吐出流路から精密濾過フィルタの導入口に浴水を送る精密濾過フィルタ導入流路を吐出流路から分岐して設けると共に、精密濾過フィルタ中で濾過された浴水を精密濾過フィルタの導出口から吸入流路へ送る精密濾過フィルタ導出流路を精密濾過フィルタの導出口と吸入流路との間に設け、吐出流路と精密濾過フィルタ導入流路との分岐点に流量調整可能な切替弁を設け、吐出流路から精密濾過フィルタの洗浄水注入口に浴水を送る精密濾過フィルタ洗浄流路を吐出流路から分岐して設け、その吐出流路からの分岐点に切替弁を設けると共に、精密濾過フィルタを通過して洗浄に用いられた浴水を精密濾過フィルタの洗浄水排出口から浴槽水清浄化装置外に排水する排水流路を精密濾過フィルタの洗浄水排出口に接続して設けて成ることを特徴とする浴槽水清浄化装置。
【請求項２】
精密濾過フィルタの洗浄に用いられた浴水を吸入流路に送る精密濾過フィルタ循環洗浄流路を排水流路から分岐して設け、その分岐点に切替弁を設けたことを特徴とする、請求項１に記載の浴槽水清浄化装置。
【請求項３】
精密濾過フィルタ洗浄流路にエアポンプまたはイジェクタにて空気を混入することを特徴とする、請求項１又は２に記載の浴槽水清浄化装置。
【請求項４】
精密濾過フィルタ洗浄流路にエアポンプまたはイジェクタを備えることを特徴とする請求項３に記載の浴槽水清浄化装置。
【請求項５】
吐出流路と精密濾過フィルタ洗浄流路との分岐点に設けた切替弁と、排水流路と精密濾過フィルタ循環洗浄流路との分岐点に設けた切替弁とを、流水を動力とするメカニカルタイマーにて構成したことを特徴とする請求項１乃至４のいずれかに記載の浴槽水清浄化装置。
【請求項６】
精密濾過フィルタを浴槽水清浄化装置本体外に設置したことを特徴とする請求項１乃至５のいずれかに記載の浴槽水清浄化装置。
【発明の詳細な説明】
【０００１】
【発明の属する技術分野】
本発明は、浴槽内の浴水を濾過等の清浄化処理を行い、絶えず清潔に保つようにする浴槽水清浄化装置に関するものである。
【０００２】
【従来の技術】
近年、浴槽内の浴水を循環ポンプで吸い上げ、濾過装置で浴水の汚れを濾過すると共に浴水をヒーターで加熱することによって浴槽内の浴水を常に清潔かつ適温の状態に保ち、２４時間いつでも入浴できるようにする浴槽水清浄化装置が開発され、現在広く利用されているものである。
【０００３】
上記のような浴槽水清浄化装置として従来から広く用いられているものに、図１９に示すようなものがある。このものは、浴槽水清浄化装置本体４と浴槽１内とを吸入流路３と吐出流路９とで接続して成るものである。ここで、浴槽水清浄化装置本体４内には、循環ポンプ６、濾過槽５、及びヒーター７が設けられており、循環ポンプ６と濾過槽５の間、及び濾過槽５とヒーター７の間にはそれぞれ濾過槽流路２１とヒーター流路２２が設けられている。また、循環ポンプ６は吸入流路３と接続し、ヒーター７は吐出流路９と接続しているものである。また吸入流路３の浴槽内の開口部にはプレフィルタ１０が設けられており、吐出流路９の浴槽内の開口部にはノズル１１が設けられているものである。ここで、プレフィルタ１０は濾過材としてスポンジを備えているものであり、濾過槽５は濾過材としてファイバーボールを備えると共に生物分解用の清浄化菌を備えているものである。
【０００４】
上記のような浴槽水清浄化装置を起動すると、循環ポンプ６の働きにより、浴槽内の浴水２がプレフィルタ１０を通過して吸入流路３に導入される。この際に浴水２中の汚れの内、粒径が約１〜１０μｍ以上のものはプレフィルタ１０の濾過材であるスポンジによって取り除かれるものである。吸入流路３に導入された浴水２は循環ポンプ６を通過して濾過槽流路２１を経由し、濾過槽５に導入される。濾過槽５に導入された浴水２中の、プレフィルタ１０で取り除かれなかった粒径が約１〜１０μｍ以上の汚れは濾過材であるファイバーボールによって取り除かれ、また粒径が０．００１μｍ以下の極めて微細な汚れや浴水２中に溶解している汚れは生物分解用の清浄化菌の浄化作用によって取り除かれる。このようにして浄化された浴水２はヒーター流路２２を経由し、ヒーター７に導入され、ヒーター７中で加熱される。ヒーター７で加熱された浴水２は吐出流路９に送られ、ノズル１１から浴槽１内に噴出される。ノズル１１から噴出した浴水２は浴槽１内の浴水２を攪拌し、浴水２が浴槽１内の一部に滞ることがなく、浴槽１内の浴水２を浴槽水清浄化装置に万遍なく循環させることができるものである。
【０００５】
【発明が解決しようとする課題】
しかし、浴水２中の汚れは砂、泥、毛、垢といったものだけはなく、石鹸、化粧品、練り薬といった浴水中に溶け込む化学薬品や、身体からの分泌物、或いは水道水中の不溶物、一般細菌、等の種々の物質によって構成されており、その大きさは様々である。これらの汚れのうち、粒径が約１〜１０μｍ以上の汚れや、粒径が０．００１μｍ以下の極めて微細な汚れ、及び浴水２中に溶解している汚れは上記のように図１９に示す従来の浴槽水清浄化装置により取り除くことができたが、粒径が０．００１〜１０μｍのものは取り除くことができなかった。そのため浴水２内に粒径が０．００１〜１０μｍの粒子状の細菌やコロイド状の汚れが残留することになり、浴水２を白濁させる原因となっていた。
【０００６】
図１９に示す従来の浴槽水清浄装置において濾過槽５中の濾過材が目詰まりを起こして、コロイド状の汚れも通過することができなくなると、粒径が０．００１〜１０μｍのコロイド状の汚れを取り除くことができるものであり、また、粒径が０．００１〜１０μｍの粒子状の細菌の汚れを取り除くためには、浴水２中の、コロイド状の汚れを含む有機物を濾過槽５内の生物清浄化菌によって分解することによって細菌の増殖を低減したり、塩素やオゾンによる殺菌を行ったりしていたものである。しかし浴水２中のコロイド状の汚れを濾過槽５中の濾過材で取り除くためには上記のように濾過槽５中の濾過材がある程度目詰まりを起こしている必要があるので、コロイド状の汚れを濾過槽５中の濾過材で取り除こうとする場合、及び有機物を濾過槽５内の生物清浄化菌によって分解して細菌の増殖を低減しようとする場合において、浴槽水清浄化装置を設置した直後や濾過材を交換した直後は、コロイド状の汚れを濾過槽５で取り除くことができず、濾過材に汚れが付着してある程度目詰まりを起こして初めてコロイド状の汚れを濾過槽５で取り除くことができると共に、コロイド状の有機物の汚れを生物清浄化菌によって分解することができるようになるため、それまでは浴水２の白濁を我慢するか、あるいは浴水２を交換しなければならないものであった。また塩素やオゾンによる殺菌を行おうとする場合においては、殺菌作用が強過ぎると濾過槽５内の生物清浄化菌まで殺菌してしまうことになるため、塩素殺菌の場合は塩素濃度を０．２ｐｐｍ以下、オゾン殺菌の場合は人体への影響も考えてオゾン濃度を０．１ｐｐｍ以下に抑えなければならないものであり、また紫外線により殺菌する場合は水による反射のために殺菌能力が低いものであって、これらのものは補助的な殺菌手段としかなり得えないものであった。
【０００７】
そのため浴水２を濾過するために粒径が０．００１〜１０μｍの汚れを取り除く精密濾過フィルタを用いることが考えられるが、精密濾過フィルタに浴水２を通過させると浴水２の流れに対して大きな抵抗がかかるため装置内を循環する浴水２の量が低減し、浴水２の清浄化の効率が悪くなるものであり、また吐出流路９から浴槽１内に噴出する浴水２の流速も低減し、噴出した浴水２が浴槽１内の浴水２を攪拌する効果が小さくなり、そのため浴水２が浴槽１内の一部に滞り、浴槽１内の浴水２を浴槽水清浄化装置に万遍なく循環させることができなくなる恐れもある。この問題を解消するためには浴水２を循環させる際にかなりの仕事量を与えねばならず、循環ポンプ６にかかる負担が大きなものとなる。また精密濾過フィルタはすぐに目詰まりを起こすため、その都度浴槽水清浄化装置の運転を停止して高価な濾過材を交換しなければならず、手間と費用がかかるものであり、また精密濾過フィルタが目詰まりを起こすと浴槽水清浄化装置に浴水２が循環しにくくなり、循環ポンプ６に多大な負担がかかるものである。
【０００８】
本発明は上記の点に鑑みてなされたものであり、粒径が０．００１〜１０μｍの粒子状の細菌やコロイド状の汚れを精密濾過フィルタを用いて濾過すると共に、浴槽水清浄化装置の設置直後から確実に清浄化機能を発揮し、かつ浴槽内の浴水を浴槽水清浄化装置に万遍なく循環させることができ、しかもメンテナンスが容易な浴槽水清浄化装置を提供することを目的とするものである。
【０００９】
【課題を解決するための手段】
本発明の請求項１に記載の発明は、循環ポンプ６を用いて浴槽１中の浴水２を循環させながら清浄化する浴槽水清浄化装置であって、循環ポンプ６の上流側において浴槽１中の浴水２を吸入する吸入流路３と、循環ポンプ６の下流側において清浄化された浴水２を吐出する吐出流路９を設け、吐出流路９から精密濾過フィルタ１２の導入口３１に浴水２を送る精密濾過フィルタ導入流路１６を吐出流路９から分岐して設けると共に、精密濾過フィルタ１２中で濾過された浴水２を精密濾過フィルタ１２の導出口３２から吸入流路３へ送る精密濾過フィルタ導出流路１７を精密濾過フィルタ１２の導出口３２と吸入流路３との間に設けて成ることを特徴とするものである。
【００１０】
また吐出流路９と精密濾過フィルタ導入流路１６との分岐点に流量調整可能な切替弁２６を設けて成ることを特徴とするものである。
また吐出流路９から精密濾過フィルタ１２の洗浄水注入口３３に浴水２を送る精密濾過フィルタ洗浄流路１９を吐出流路９から分岐して設け、その吐出流路９からの分岐点に切替弁２７を設けると共に、精密濾過フィルタ１２を通過して洗浄に用いられた浴水２を精密濾過フィルタ１２の洗浄水排出口３４から浴槽水清浄化装置外に排水する排水流路１８を精密濾過フィルタ１２の洗浄水排出口３４に接続して設けて成ることを特徴とするものである。
【００１１】
また本発明の請求項２に記載の発明は、請求項１の構成に加えて、精密濾過フィルタ１２の洗浄に用いられた浴水２を吸入流路３に送る精密濾過フィルタ循環洗浄流路２０を排水流路１８から分岐して設け、その分岐点に切替弁２８を設けたことを特徴とするものである。
また本発明の請求項３に記載の発明は、請求項１又は２の構成に加えて、精密濾過フィルタ洗浄流路１９にエアポンプ１５またはイジェクタにて空気を混入することを特徴とするものである。
【００１２】
また本発明の請求項４に記載の発明は、請求項３の構成に加えて、精密濾過フィルタ洗浄流路３３にエアポンプ１５またはイジェクタを備えることを特徴とするものである。
また本発明の請求項５に記載の発明は、請求項１乃至４のいずれか構成に加えて、吐出流路９と精密濾過フィルタ洗浄流路１９との分岐点に設けた切替弁２７と、排水流路１８と精密濾過フィルタ循環洗浄流路２０との分岐点に設けた切替弁２８とを、流水を動力とするメカニカルタイマーにて構成したことを特徴とするものである。
【００１３】
また本発明の請求項６に記載の発明は、請求項１乃至５のいずれかの構成に加えて、精密濾過フィルタ１２を浴槽水清浄化装置本体外に設置したことを特徴とするものである。
【００１４】
【発明の実施の形態】
以下、本発明の実施の形態を説明する。
図１は本発明の実施の形態の一例を示すものである。図１に示す本発明の実施の形態の一例においては、浴槽水清浄化装置には、循環ポンプ６、ヒーター７、通常フィルタ１３、塩素発生（投入）装置１４、及び精密濾過フィルタ１２が設けられてある。また浴槽１内と循環ポンプ６の間には吸入流路３が設けられてあり、浴槽１内と循環ポンプ６とを接続してあると共に、塩素発生（投入）装置１４と浴槽１内の間には吐出流路９が設けられてあり、塩素発生（投入）装置１４と浴槽１内とを接続してあるものである。また、吸入流路３の浴槽１内の開口部にはプレフィルタ１０が設けられてある。また、循環ポンプ６とヒーター７との間にはヒーター流路２４が、ヒーター７と通常フィルタ１３との間には通常フィルタ流路２５が、通常フィルタ１３と塩素発生（投入）装置１４との間には塩素発生（投入）装置流路２５がそれぞれ設けられてあるものである。また、吐出流路９から精密濾過フィルタ１２の導入口３１に浴水２を送る精密濾過フィルタ導入流路１６が吐出流路９から分岐して設けられてあると共に、精密濾過フィルタ１２中で濾過された浴水２を精密濾過フィルタ１２の導出口３２から吸入流路３へ送る精密濾過フィルタ導出流路１７が精密濾過フィルタ１２の導出口３２と吸入流路３との間に設けられてあり、吐出流路９と精密濾過フィルタ導入流路１６との分岐点に流量調整可能な切替弁２６が設けられ、精密濾過フィルタ導出流路１７には弁２９が設けられてあるものである。また、吐出流路９から精密濾過フィルタ１２の洗浄水注入口３３に浴水２を送る精密濾過フィルタ洗浄流路１９が吐出流路９から分岐して設けられてあり、その吐出流路９からの分岐点に切替弁２７が設けられてあると共に、精密濾過フィルタ１２を通過して洗浄に用いられた浴水２を精密濾過フィルタ１２の洗浄水排出口３４から浴槽水清浄化装置外に排水する排水流路１８が精密濾過フィルタ１２の洗浄水排出口３４に接続して設けられてあるものである。また、精密濾過フィルタ１２の洗浄に用いられた浴水２を吸入流路３に送る精密濾過フィルタ循環洗浄流路２０が排水流路１８から分岐して設けられてあり、その分岐点に切替弁２８が設けられてあるものである。また、精密濾過フィルタ洗浄流路３３にはエアポンプ１５（イジェクタでもよい）が備えられてあるものである。なお、吐出流路９と精密濾過フィルタ洗浄流路１９との分岐点に設けられてある切替弁２７と、排水流路１８と精密濾過フィルタ循環洗浄流路２０との分岐点に設けられてある切替弁２８とは、流水を動力とするメカニカルタイマーにて構成されてあるものである。
【００１５】
ここでプレフィルタ１０は、濾過材としてスポンジを備えてあるものであり、直径１〜１０μｍ以上の汚れを濾過できるものである。また通常フィルタ１３は濾過材としてファイバーボール等を備えてあるものであり、直径１〜１０μｍ以上の汚れを濾過できるものである。
また、ここで精密濾過フィルタ１２とは浴水２中の直径０．００１〜１０μｍの粒子状の汚れを濾過できるものである。図１２は精密濾過フィルタ１２の例を示すものである。このものは中空糸モジュールと呼ばれる形態のものであり、濾過材として中空糸膜で形成した濾過膜３５を用いてあり、箱型のフィルタ容器３８内に中空糸膜で形成した濾過膜３５を備えて成るものである。フィルタ容器３８内は中空糸膜で形成した濾過膜３５で隔てられ、原液室３６と濾液室３７とが形成されてあるものであり、原液室３６から外部に開口する孔が３箇所に形成されてあり、それぞれが上記の導入口３１、洗浄水注入口３３、洗浄水排出口３４となっているものである。また、濾液室３７から外部に開口する孔が１箇所形成されてあり、上記の導出口３２となっている。ここで、導入口３１と導出口３２は濾過膜３５を隔てた反対側に形成されてあるものであり、洗浄水注入口３３と洗浄水排出口３４は原液室３６を横切る直線上に形成されてあるものである。なお、本発明で用いる精密濾過フィルタ１２は上記の中空糸モジュールのものに限るものではなく、管状モジュール、プリーツモジュール、スパイラルモジュール、プレート（平膜）モジュール、等の各種の形態の精密濾過フィルタを使用することができるものである。
【００１６】
なおここで循環ポンプ６、ヒーター７、通常フィルタ１３、塩素発生（投入）装置１４、及び精密濾過フィルタ１２は浴槽１外に設置する浴槽水清浄化装置本体４の中に収められているものである。
図２は上記の図１に示す浴槽水清浄化装置を用いて浴槽１内の浴水２を循環清浄化する場合の浴水２の循環経路を示すものである。ここで、切替弁２６は塩素発生（投入）装置１４から送られてくる浴水１２を吐出流路９の浴槽１方向と精密濾過フィルタ導出流路１６との両方に送ることができるように調整されているものであり、切替弁２７は吐出流路９の切替弁２６側から送られてきた浴水２を吐出流路９の浴槽１方向にのみ送ることができるように調整されているものであり、切替弁２８は精密濾過フィルタ１２の洗浄水排出口３４から排水流路１８に送られてきた浴水２が、洗浄水排出口３４の排水側と循環洗浄流路２０のどちらにも送られないように調整されているものであり、また弁２９は開いた状態になっているものである。
【００１７】
上記のような状態で浴槽水清浄化装置を起動すると循環ポンプ６の働きにより浴槽２中の浴水２はプレフィルタ１０を通過して吸入流路３に送られる。この際浴水２中の髪の毛等や１〜１０μｍ以上の大きな汚れはプレフィルタ１０に備えられたスポンジによって取り除かれるものである。吸入流路３に送られた浴水２は循環ポンプ６を通過し、ヒーター流路２３を経由してヒーター７に送られ、ヒーター７内で加熱されるものである。ヒーター７に送らた浴水２は通常フィルタ流路２４経由して通常フィルタ１３に送られ、通常フィルタ１３内に備えらたファイバーボール等の濾過材により、プレフィルタ１０で取り切れなかった直径１〜１０μｍ以上の粒子状の汚れが取り除かれるものである。通常フィルタ１３に送られた浴水２は塩素発生（投入）装置流路２５を経由して塩素発生（投入）装置１４に送られ、殺菌用の塩素が投入されるものである。塩素発生（投入）装置１４に送られた浴水２は吐出流路９に送られるものである。吐出流路９に送られた浴水２は切替弁２６において、吐出流路９の浴槽１方向に送られるものと、精密濾過フィルタ導出流路１６に送られるものとに分けられるものである。切替弁２６において吐出流路９の浴槽１方向に送られた浴水２は吐出流路９の浴槽１内の開口部から浴槽１内へ吐出され、その吐出された勢いによって浴槽１内の浴水２を攪拌するものである。また切替弁２６において精密濾過フィルタ導出流路１６に送られた浴水２は精密濾過フィルタ１２の導入口３１から精密濾過フィルタ１２内の原液室３６に送られ、中空糸膜で形成した濾過膜３５を通過して濾液室３７に送られるものである。ここで浴水２が中空糸膜で形成した濾過膜３５を通過する際に、浴水２中のプレフィルタ１０で取り除かれなかった直径０．００１〜１０μｍの粒子状の汚れが取り除かれるものである。原液室３７に送られた浴水２は導出口３２から精密濾過フィルタ１２外に送られ、精密濾過フィルタ導出流路１７を経由して再び吸入流路３に送られるものである。精密濾過フィルタ導出流路１７から吸入流路３に送られた浴水２は浴槽１から吸入流路３に送られた浴水２と共に、再び上記のように浴槽水清浄化装置内を循環し、その過程において精密濾過フィルタ導出流路１７から吸入流路３に送られた浴水２と浴槽１から吸入流路３に送られた浴水２とが混合されるものである。
【００１８】
上記のように図１に示す浴槽水清浄化装置を用いて図２に示すように浴水２を循環させて浴水２を循環清浄化すると、精密濾過フィルタ１２によって直径０．００１〜１０μｍの粒子状の細菌やコロイド状の汚れを取り除くことにより、浴槽水清浄化装置の設置直後や、濾過材の交換直後から浴水２の白濁を防止することができ、また、精密濾過フィルタ１２が目詰まりしにくくなって、濾過材の交換の手間を低減することができ、また精密濾過フィルタ１２が目詰まりを起こしても、浴槽水清浄化装置を循環する浴水２の流量を十分確保できるので吐出流路９から浴槽１中に送られる浴水２の流量が確保でき、循環ポンプ６に多大な負担がかからないようにできるものであり、また、精密濾過フィルタ１２が目詰まりを起こしても、吐出流路９から浴槽１内に送られる浴水２の流量も確保できるため吐出流路９から浴槽１内に送られる浴水２の流速により浴槽１内の浴水２が攪拌され、浴槽１内で浴水２が一部に滞ることがなく、浴槽１内の浴水２を万遍なく浴槽水清浄化装置内に循環させることができるものである。また吐出流路９から分岐して設けられた精密濾過フィルタ導入流路１６から精密濾過フィルタ１２の導入口３１に循環ポンプ６の正加圧がかかると共に、吸入流路３に接続した精密濾過フィルタ導出流路１７から精密濾過フィルタ１２の導出口３２に循環ポンプ６の吸引力が働くため、精密濾過フィルタ１２の導入口３１と導出口３２の間の圧力差を大きくすることができ、従って精密濾過フィルタ１２を通る浴水２の流量を大きくすることができ、精密濾過フィルタ１２による浄化能力を増加し、浴槽水清浄化装置の浄化能力を向上することができるものである。さらに、精密濾過フィルタ１２にて浄化された浴水２は浴槽水清浄化装置内を循環する過程で浴槽水清浄化装置内を循環する浴水２と確実に混合されるため、精密濾過フィルタを通過した浴水２のみが浴槽１内部に滞ることがなく、浴槽１内部における精密濾過フィルタを通過した浴水２の混合の度合いを良好なものにすることができるものである。
【００１９】
また、ここで切替弁２６は上記のように流量調整可能なものであり、切替弁２６から吐出流路９の浴槽１方向に送られる浴水２の流量と、切替弁２６から精密濾過フィルタ導入流路１６に送られる浴水２の流量の割合を任意に変化させることができるものである。そして上記のように流量調整可能な切替弁２６を吐出流路９と精密濾過フィルタ導入流路１６との分岐点に設けたため、浴槽１内の浴水２に白濁の汚れが多い時には切替弁２６から精密濾過フィルタ導入流路１６に送られる浴水２の流量の割合が大きくなるように切替弁２６を調整し、浴槽１内の浴水２に白濁の汚れががごく少ないか、全く見られない場合は切替弁２６から精密濾過フィルタ導入流路１６に送られる浴水２の流量の割合が小さくなるか、精密濾過フィルタ導入流路１６に浴水２を送らなくなるように切替弁２６を調整するなどして、浴槽１中の浴水２の汚れ具合によって精密濾過フィルタ導入流路１６に送られる浴水２の流量の割合を任意に変えることができ、従って浴槽１中の浴水２の汚れ具合に関わらず精密濾過フィルタに常に一定の浴水２を通すようなことがなく、精密濾過フィルタ１２の目詰まりを低減できるものである。また、切替弁２６から精密濾過フィルタ導入流路１６に送られる浴水２の流量の割合を大きくして、浴槽１内の浴水２を急速に浄化することができるものである。
【００２０】
図３は上記の図１に示す浴槽水清浄化装置を用いて精密濾過フィルタ１２の濾過膜３５を洗浄する場合の浴水２の経路を示すものである。ここで、切替弁２６は塩素発生（投入）装置１４から送られてくる浴水２を吐出流路９の浴槽１内の方向にのみ送ることができるように調整されているものであり、また切替弁２７は吐出流路９の切替弁２６側から送られてきた浴水２を精密濾過フィルタ洗浄流路１９にのみ送ることができるように調整されているものであり、また切替弁２８は精密濾過フィルタ１２の洗浄水排出口３４から排水流路１８に送られてきた浴水２を全て排水流路１８の排水側に送ることができるように調整されているものである。また弁２９は閉じた状態になっているのが好ましいものである。
【００２１】
上記のような状態で浴槽水清浄化装置を起動すると、浴槽１内の浴水２は上記の図２の場合と同様に切替弁２６まで送られた後、切替弁２６まで送られた浴水２は全て吐出流路９の浴槽１側に送られ、切替弁２７まで送られた浴水２は全て精密濾過フィルタ洗浄流路１９に送られるものである。精密濾過フィルタ洗浄流路１９に送られた浴水２は精密濾過フィルタ１２の洗浄水注入口３３から精密濾過フィルタ１２内の原液室３６に送られるものである。原液室３６に送られた浴水２はその流速による衝撃力によって精密濾過フィルタ１２の濾過膜３５に付着した汚れを取り除いて洗浄し、取り除かれた汚れと共に精密濾過フィルタ１２の洗浄水排出口３４から排出流路１８に送られるものである。排出流路１８に送られた、浴水２と濾過膜３５から取り除かれた汚れは全て浴槽水清浄化装置外に排出されるものである。
【００２２】
上記のように図１に示す浴槽水清浄化装置を用いて図２に示すように浴水２を循環させて浴水２を循環清浄化すると精密濾過フィルタ１２の濾過膜３５に汚れが付着し、目詰まりを起こして、浴槽水清浄化装置の浄化能力が低減する恐れがあるが、精密濾過フィルタ１２の濾過膜３５に汚れが付着し、目詰まりを起こした際に、切替弁２６、２７、２８を調整することにより、図３に示すように精密濾過フィルタ１２の濾過膜３５を洗浄することができ、そのため精密濾過フィルタ１２の浄化能力を回復させることができ、精密濾過フィルタ１２の浄化能力を長く維持できるものである。さらに、精密濾過フィルタ１２で取り除いた浴水２中の汚れを排水流路１８を通じて確実に浴槽水清浄化装置外へ捨てることができるものである。なおここで精密濾過フィルタ１２内の原液室３６に送られる浴水２にエアポンプ１５（あるいはイジェクタ）によって気泡を混入すると、原液室３６内の気泡の振動により、精密濾過フィルタ１２の濾過膜３５に付着した汚れを取り除く効果をさらに増大することができるものである。
【００２３】
図４は上記の図１に示す浴槽水清浄化装置を用いて精密濾過フィルタ１２の濾過膜３５を循環洗浄する場合の浴水２の経路を示すものである。ここで、切替弁２６は塩素発生（投入）装置１４から送られてくる浴水２を吐出流路９の浴槽１の方向にのみ送ることができるように調整されているものであり、また切替弁２７は吐出流路９の切替弁２６側から送られてきた浴水２を精密濾過フィルタ洗浄流路１９にのみ送ることができるように調整されているものであり、また切替弁２８は精密濾過フィルタ１２の洗浄水排出口３４から排水流路１８に送られてきた浴水２を全て循環洗浄流路２０に送ることができるように調整されているものである。また弁２９は閉じた状態になっているのが好ましいものである。
【００２４】
上記のような状態で浴槽水清浄化装置を起動すると、浴槽１内の浴水２は上記の図３の場合と同様に精密濾過フィルタ１２の濾過膜３５に付着した汚れを取り除いて洗浄し、取り除かれた汚れと共に精密濾過フィルタ１２の洗浄水排出口３４から排水流路１８の切替弁２８まで送られた後、全て循環洗浄流路２０に送られるものである。循環洗浄流路２０に送られた浴水２は、環洗浄流路２０と吸入流路３の接続位置まで達すると、循環ポンプ６の働きにより再び吸入流路３の循環ポンプ６側に送られ、浴槽水清浄化装置内を循環しながら精密濾過フィルタ１２の濾過膜３５を洗浄することとなる。精密濾過フィルタ１２の濾過膜３５の洗浄が終了したら、切替弁２８を精密濾過フィルタ１２の洗浄水排出口３４から排水流路１８に送られてきた浴水２を全て排水流路１８の排水側に送ることができるように調整することによって、浴水２の流路を図３に示すもののようにし、浴槽水清浄化装置内を循環させていた浴水２と精密濾過フィルタ１２の濾過膜３５に付着していた汚れを排水流路１８を通じて浴槽水清浄化装置外に排出すると共に、精密濾過フィルタ１２の濾過膜３５に付着していた汚れが循環していた流路を濯ぐものである。
【００２５】
上記のように図１に示す浴槽水清浄化装置を用いて図４に示すように精密濾過フィルタ１２の濾過膜３５を循環洗浄すると、精密濾過フィルタ１２の濾過膜３５を循環洗浄する際の浴水２の循環経路を短くできるため循環ポンプ６にかかる負荷が小さくなり単位時間当たりの浴水２の流量を増加できるので、精密濾過フィルタ１２の濾過膜３５の洗浄時の、濾過膜３５が浴水２の対流から受ける衝撃力を大きくすることができ、精密濾過フィルタ１２の濾過膜３５の洗浄力を向上することができるものである。また、精密濾過フィルタ１２の濾過膜３５の洗浄時間を長くしても、洗浄によって排水される浴水２は、浴槽水清浄化装置内を循環する浴水２と精密濾過フィルタ１２の濾過膜３５に付着していた汚れが循環していた流路を濯ぐための浴水２のみであり、洗浄時の浴水２の排水が少なくなるものであり、かつ、精密濾過フィルタ１２の濾過膜３５を十分に洗浄することができるものである。また、精密濾過フィルタ１２の濾過膜３５の洗浄に用いた浴水２は上記のように、浴槽１内に送られずに浴槽水清浄化装置外に排出されるものであるから、浴槽水清浄化装置内を循環して精密濾過フィルタ１２の濾過膜３５を洗浄する浴水２をヒーター７によって、加熱殺菌に必要な７０〜７５℃の高温に加熱したり、塩素発生（投入）装置１４によってこの浴水２に塩素濃度が１ｐｐｍ程度になるまで塩素を投入したりすることができるものであり、このようにすることによって、浴槽水清浄化装置内の殺菌及び精密濾過フィルタに付着した細菌の殺菌を確実に行うことができるものである。
【００２６】
また、切替弁２７、２８を上記のように調整する直前にエアポンプ１５（あるいはイジェクタ）を作動させて浴水２に気泡を送り込む。このように気泡を混入した浴水２を浴槽水清浄化装置内に循環させて精密濾過フィルタ１２の濾過膜３５の洗浄を行うことにより、精密濾過フィルタ１２の濾過膜３５の洗浄を浴水２の原液室３６内での浴水２の流速による衝撃と共に、原液室３６内での気泡の振動により行うことができるので、浴水２に気泡を混入しない場合よりも精密濾過フィルタ１２の濾過膜３５の洗浄能力を向上することができるものである。このように精密濾過フィルタ１２の濾過膜３５の洗浄を行い、十分濾過膜３５が洗浄された後、上記の浴水２に気泡を混入しないで浴水２を浴槽水清浄化装置内に循環させて精密濾過フィルタ１２の濾過膜３５の洗浄を行った場合と同様に、切替弁２８を精密濾過フィルタ１２の洗浄水排出口３４から排水流路１８に送られてきた浴水２を全て排水流路１８の排水側に送ることができるように調整することによって、浴水２の流路を図３に示すもののようにし、浴槽水清浄化装置内を循環させていた浴水２と精密濾過フィルタ１２の濾過膜３５に付着していた汚れを排水流路１８を通じて浴槽水清浄化装置外に排出すると共に、精密濾過フィルタ１２の濾過膜３５に付着していた汚れが循環していた流路を濯ぐものである。
【００２７】
図５は上記の図１に示す浴槽水清浄化装置を用いて精密濾過フィルタ１２を用いずに浴槽１内の浴水２を清浄化すると共に精密濾過フィルタ１２の濾過膜３５を洗浄する場合の浴水２及び気泡の経路を示すものである。ここで、切替弁２６は塩素発生（投入）装置１４から送られてくる浴水２を吐出流路９の浴槽１内の方向にのみ送ることができるように調整されているものであり、また切替弁２７は吐出流路９の切替弁２６側から送られてきた浴水２を吐出流路９の浴槽１内側にのみ送ることができるように調整されているものであり、また切替弁２８は精密濾過フィルタ１２の洗浄水排出口３４から排水流路１８に送られてきた浴水２を全て循環洗浄流路２０に送ることができるように調整されているものである。また弁２９は閉じた状態になっているのが好ましいものである。また、上記のように切替弁２６、２７、２８を調整する前に、予め切替弁２７を浴水２が精密濾過フィルタ洗浄流路１９に浴水２が送られるように調整すると共に切替弁２８を浴水２が排水流路１８の排水側に送られるように調整して、浴槽水清浄化装置を起動しておくことによって、精密濾過フィルタ洗浄流路１９、精密濾過フィルタ１２の原液室３６、及び排水流路１８に浴水２が滞留している状態にしておくものである。
【００２８】
上記のような状態で浴槽水清浄化装置を起動すると共にエアポンプ１５にて精密濾過フィルタ洗浄流路１９に気泡を送り込むようにすると、浴槽１内の浴水２は上記の図４の場合と同様に吐出流路９の切替弁２７の位置まで送られた後、吐出流路９の浴槽１内の方向に全て送られるものである。また精密濾過フィルタ洗浄流路１９にエアポンプ１５によって送り込まれた気泡は精密濾過フィルタ１２の洗浄水注入口３１から精密濾過フィルタ１２内の原液室３６に送られ、原液室３６内で振動する気泡により精密濾過フィルタ１２の濾過膜３５に付着した汚れを取り除いて洗浄するものである。精密濾過フィルタ１２内の原液室３６に送られた気泡は精密濾過フィルタ１２の洗浄水排出口３４から排水流路１８に送られ、浴槽水清浄化装置外に送られるものである。
【００２９】
上記のように、図１に示す浴槽水清浄化装置を用いて図５に示すように精密濾過フィルタ１２を用いずに浴槽１内の浴水２を清浄化すると共に精密濾過フィルタ１２の濾過膜３５を洗浄することにより、精密濾過フィルタ洗浄流路１９、精密濾過フィルタ１２の原液室３６、及び排水流路１８に滞留している浴水２にエアポンプ１５にて気泡を送り込み、原液室３６内における気泡の振動により精密濾過フィルタ１２の濾過膜３５の洗浄を行うことができるので、精密濾過フィルタ１２の濾過膜３５の洗浄時において浴槽水清浄化装置外に排水する浴水２の量を少なくすることができ、また精密濾過フィルタ１２の濾過膜３５の洗浄を行うと同時に浴槽１内の浴水を浴槽水清浄化装置にて循環清浄化することができるので、入浴時間帯を外して精密濾過フィルタ１２の濾過膜３５の洗浄を行う等、精密濾過フィルタ１２の濾過膜３５の洗浄時間や時期を気にしたりする必要をなくすことができるものである。
【００３０】
図６は本発明の実施の形態の他の例を示すものである。この図６に示す浴槽水清浄化装置は、循環洗浄流路２０と切替弁２８を設けず、排水流路１８に弁３０を設けた以外は図１に示す浴槽水清浄化装置と同一の構成を有しているものである。
図７は図６に示す浴槽水清浄化装置を用いて浴槽１内の浴水２を循環清浄化する場合の浴水２の循環経路を示すものである。ここで、切替弁２６は塩素発生（投入）装置１４から送られてくる浴水１２を吐出流路９の浴槽１方向と精密濾過フィルタ導出流路１６との両方に送ることができるように調整されているものであり、切替弁２７は吐出流路９の切替弁２６側から送られてきた浴水２を吐出流路９の浴槽１方向にのみ送ることができるように調整されているものであり、３０は閉じた状態になっているものであり、また弁２９は開いた状態になっているものである。
【００３１】
上記のような状態で浴槽水清浄化装置を起動すると、浴水２は図１に示す浴槽水清浄化装置を図２に示す状態で起動した場合と同一の経路で循環し、浴槽水清浄化装置を図２に示す状態で起動した場合と同一の効果が得られるものである。図８は図６に示す浴槽水清浄化装置を用いて精密濾過フィルタ１２の濾過膜３５を洗浄する場合の浴水２の経路を示すものである。ここで、切替弁２６は塩素発生（投入）装置１４から送られてくる浴水２を吐出流路９の浴槽１内の方向にのみ送ることができるように調整されているものであり、また切替弁２７は吐出流路９の切替弁２６側から送られてきた浴水２を精密濾過フィルタ洗浄流路１９にのみ送ることができるように調整されているものであり、また弁３０は開いた状態になっているものである。また弁２９は閉じた状態になっているのが好ましいものである。
【００３２】
上記のような状態で浴槽水清浄化装置を起動すると、浴水２は図１に示す浴槽水清浄化装置を図３に示す状態で起動した場合と同一の経路で循環し、浴槽水清浄化装置を図３に示す状態で起動した場合と同一の効果が得られるものである。また、上記のような状態で浴槽水清浄化装置を起動すると共にエアポンプ１５にて精密濾過フィルタ洗浄流路１９に気泡を混入すると、浴水２及び気泡は図１に示す浴槽水清浄化装置を図３に示す状態で起動すると共にエアポンプ１５にて精密濾過フィルタ洗浄流路１９に気泡を混入した場合と同一の経路で循環し、図１に示す浴槽水清浄化装置を図３に示す状態で起動すると共にエアポンプ１５にて精密濾過フィルタ洗浄流路１９に気泡を混入した場合と同一の効果が得られるものである。
【００３３】
図９は上記の図６に示す浴槽水清浄化装置を用いて精密濾過フィルタ１２を用いずに浴槽１内の浴水２を清浄化すると共に精密濾過フィルタ１２の濾過膜３５を洗浄する場合の浴水２及び気泡の経路を示すものである。ここで、切替弁２６は塩素発生（投入）装置１４から送られてくる浴水２を吐出流路９の浴槽１内の方向にのみ送ることができるように調整されているものであり、また切替弁２７は吐出流路９の切替弁２６側から送られてきた浴水２を吐出流路９の浴槽１内側にのみ送ることができるように調整されているものであり、また弁３０は開いた状態にしてあるものである。また弁２９は閉じた状態になっているのが好ましいものである。また、上記のように切替弁２６、２７、を調整する前に、予め切替弁２７を浴水２が精密濾過フィルタ洗浄流路１９に浴水２が送られるように調整した状態で、浴槽水清浄化装置を起動しておくことによって、精密濾過フィルタ洗浄流路１９、精密濾過フィルタ１２の原液室３６、及び排水流路１８に浴水が滞留している状態にしておくものである。
【００３４】
上記のような状態で浴槽水清浄化装置を起動すると共にエアポンプ１５にて精密濾過フィルタ洗浄流路１９に気泡を混入すると、浴水２及び気泡は図１に示す浴槽水清浄化装置を図５に示す状態で起動すると共にエアポンプ１５にて精密濾過フィルタ洗浄流路１９に気泡を混入した場合と同一の経路で循環し、図１に示す浴槽水清浄化装置を図５に示す状態で起動すると共にエアポンプ１５にて精密濾過フィルタ洗浄流路１９に気泡を混入した場合と同一の効果が得られるものである。
図１０、１１は本発明の実施の形態の他の例を示すものである。図１０に示す浴槽水清浄化装置は、図１に示す浴槽水清浄化装置において、精密濾過フィルタ１２を循環ポンプ６、ヒーター７、通常フィルタ１３、塩素発生（投入）装置１４等が収容されている浴槽水清浄化装置本体４内に配置せず、プレフィルタ１０や吐出流路９の吐出口等を収めた浴槽１中の浴槽内ブロック３９内に設けられているものである。また図１１に示す浴槽水清浄化装置は、図６に示す浴槽水清浄化装置において、図１０に示すものと同様に、精密濾過フィルタ１２を循環ポンプ６、ヒーター７、通常フィルタ１３、塩素発生（投入）装置１４等が収容されている浴槽水清浄化装置本体４内に配置せず、プレフィルタ１０や吐出流路９の吐出口等を収めた浴槽１中の浴槽内ブロック３９内に設けられているものである。
【００３５】
上記のように、精密濾過フィルタ１２を浴槽水清浄化装置本体４内に配置せず、浴槽１中に設置された浴槽内ブロック３９内に設けることによって、浴槽１外に設置される浴槽水清浄化装置本体４をコンパクトに形成することができると共に、精密濾過フィルタ１２が浴槽内ブロック３９に設けることができるため、精密濾過フィルタ１２のメンテナンスを容易に行うことができるものである。
【００３６】
なお、以上の本発明の実施の形態において、切替弁２７、２８を調整して浴槽水清浄化装置を通常運転から精密濾過フィルタ１２の濾過膜３５の洗浄への切替え、さらに精密濾過フィルタ１２の濾過膜３５の洗浄に用いた浴水２の排水への切替え、そして浴槽水清浄化装置の通常運転への復帰、等の切替えを行う場合には、切替弁２７、２８をタイマー制御して一定時間後に自動的に切替弁２７、２８を調整することができるものである。その場合、切替弁２７、２８としては電磁弁等を使用することができるが、その場合電磁弁のための電源が必要であり、また電気絶縁が必要なものである。そこで、切替弁２７、２８として、浴水２の流量を機械的にカウントし、一定の流量が流れると流水を動力として自動的かつ機械的に浴水２の流路の切替えが行われるメカニカルタイマーを使用することができるものである。
【００３７】
本発明の実施の形態で用いるメカニカルタイマーの例を図１３乃至１８に模式的に示す。
図１３及び１４は吐出流路９と精密濾過フィルタ流路１６との分岐点に設ける切替弁２７を示すものである。ここで吐出流路９と精密濾過フィルタ流路１６との分岐点付近において、精密濾過フィルタ流路１６と吐出流路９の浴槽１側にはそれぞれ球体弁４０ａ、４０ｂが備えてあり、この球体弁４０ａ、４０ｂは、精密濾過フィルタ流路１６と吐出流路９の浴槽１側の内側を狭めて形成した弁座４２ａ、４２ｂと、流水の水圧により弁座４２ａ、４２ｂに接して流路を塞ぐボール４１ａ、４１ｂとから成り、ボール４１ａ、４１ｂは弁座４２ａ、４２ｂよりも各流路の分岐点側に配してある。精密濾過フィルタ流路１６に設けてある球体弁４０ａの各流路の分岐点と反対側には羽根車４３ａが配してある。羽根車４３ａは羽根軸４９に軸支してあり、羽根軸４９は精密濾過フィルタ流路１６外に突出して設けてあり、精密濾過フィルタ流路１６外に突出して設けてある部分に減速輪列４６ａが設けてある。この減速輪列４６ａはもう一つの減速輪列４５ａと嵌合してあり、このもう一方の減速輪列４５ａはカム軸４４に設けてある。カム軸４４は精密濾過フィルタ流路１６を貫通して設けてあり、減速輪列４５ａが設けてある側と反対側の一端には操作ダイヤル５４が、他端には円盤状のカム４７がその円盤状の中心にカム軸４４を通して設けてある。ここで、羽根車４３ａの回転入力は、減速輪列４５ａ、４６ａを介して軸回転速度が次第に減速されながら伝えられ、カム４７の回転に出力される。カム４７の周縁には、外方に凹形に開口するカム溝部４８が設けてあり、このカム溝部４８には棒状の制御杆５２の略中心位置に突設した突片４９に嵌合してある。制御杆５２は吐出流路９と精密濾過フィルタ流路１６の内側に突出させて軸方向へ移動可能に設けてあり、その両端部には押出部５３ａ、５３ｂが設けてあり、この押出部５３ａ、５３ｂ付近の制御杆５２の軸の略延長線上に上記ボール４１ａ、４１ｂが配されているものである。制御杆５２には突片４９からやや精密濾過フィルタ流路１６側にバネ係止片５０が突設してあり、バネ係止片５０と精密濾過フィルタ流路１６との間にバネ５１を配し、制御杆５２にその軸方向の吐出流路９側に向けてバネ５１の弾性力が働くようにしてある。ここでカム４７は図１８（ａ）乃至（ｄ）に示すような形状をしているものである。図１８（ａ）に示すようにカム４７に形成されるカム溝部４８は、カム４７の外周全体の１／４の部分を一次カム溝部４８ａ、その部分に連続する１／４の部分を二次カム溝部４８ｂ、残りの１／２の部分を中間カム溝部４８ｄとして形成してある。図１８（ｂ）に示すように、一次カム溝部４８ａと二次カム溝部４８ｂは、カム４７の円盤に対してそれぞれ反対側の外方にずらして形成してあるものであり、一次カム溝部４８ａと二次カム溝部４８ｂの接続部は、図１８（ｃ）のように切替カム溝部４８ｃが一次カム溝部４８ａ及び二次カム溝部４８ｂと垂直になるように設けてある。また、図１８（ｄ）のように、中間カム溝部４８ｄは一次カム溝部４８ａと二次カム溝部４８ｂとのずれをなだらかに繋ぐようにカム４７の円周に対して斜めに設けてある。
【００３８】
図１５乃至１７は排水流路１８と循環洗浄流路２０の分岐点に設ける切替弁２８を示すものである。このものでは、排水流路１８と循環洗浄流路２０の分岐点付近において、循環洗浄流路２０と排水流路１８の排水側にはそれぞれ球体弁４０ａ、４０ｂが設けてあるもので、上記切替弁２７とほぼ同様な構造であるが、羽根車４３ａ及び減速輪４５ａ、４６ａが、循環洗浄流路２０に設けられていると共に、排水流路１８の排水側にも羽根車４３ｂ及び減速輪４５ｂ、４６ｂが設けられており、羽根車４３ａの回転入力に加えて、羽根車４３ｂの回転入力も減速輪列４５ｂ、４６ｂを介して軸回転速度を減速されて伝えられ、カム４７の回転に出力されるようにしてある点で異なる。
【００３９】
切替弁２７は、図１に示す浴槽水清浄化装置において、図２に示すように浴槽１の浴水２を循環清浄化する場合は、図１３のように、二次カム溝部４８ｂが突片４９に嵌合してあり、この状態では吐出流路９の浴槽１側の球状弁４０ｂは、押出片５３ｂがボール４１ｂを押圧して弁座４２ｂから離し、球状弁４０ｂが開いた状態となっており、精密濾過フィルタ洗浄流路１６側の球状弁４０ａは、押出片５３ａがボール４１ａと接しておらず、ボール４１ａは浴水２の流圧により、弁座４２ａと接して球状弁４０ａが閉じた状態となっている。精密濾過フィルタ１２を図４に示すように循環洗浄する場合は切替弁２７は、操作ダイヤル５４を回動操作してカム４７を回転させ、突片４９と一次カム溝部４８ａとが嵌合する図１４に状態にする。この状態では図１３の状態とは逆に精密濾過フィルタ洗浄流路１６側の球状弁４０ａは、押出片５３ａがボール４１ａを押圧して弁座４２ａから離し、球状弁４０ａが開いた状態となっており、吐出流路９の浴槽１側の球状弁４０ｂは、押出片５３ｂがボール４１ｂと接しておらず、ボール４１ｂは浴水２の流圧により、弁座４２ｂと接して球状弁４０ｂが閉じた状態となっている。この状態では浴水は精密濾過フィルタ洗浄流路１６に流れ、その流圧によって羽根車４３ａを回転させる。羽根車４３ａの回転入力は上記のように減速輪列４５ａ、４６ａを介してカム４７の回転運動に出力する。この時、カム４７は突片４９との嵌合部が一次カム溝部４８ａから切替カム溝部４８ｃに移動するように回転するようにしてあるものである。図１４の状態から精密濾過フィルタ洗浄流路１６に一定の流量の浴水２が流れると、カム４７の突片４９との嵌合部が一次カム溝部４８ａから切替カム溝部４８ｃに移動し、バネ５１の弾性力によって制御杆５２が吐出流路９の浴槽１側の方向に軸方向移動すると共に、カム４７の突片４９との嵌合部が切替カム溝部４８ｃから二次カム溝部４８ｂに移動して、図１３の状態に戻る。
【００４０】
また、切替弁２８は、図１に示す浴槽水清浄化装置において、図２に示すように浴槽１の浴水２を循環清浄化する場合は、図１５のように、中間カム溝部４８ｄが突片４９に嵌合してあり、この状態では排水流路１８に排水側と、循環洗浄流路２０の双方において、球状弁４０ａ、４０ｂのボール４１ａ、４１ｂと制御杆５２の押出片５３ａ、５３ｂが接しない状態となり、ボール４１ａ、４１ｂは浴水２の流圧により、弁座４２ａ、４２ｂと接して球状弁４０ａ、４０ｂが閉じた状態となっている。精密濾過フィルタ１２を図４に示すように循環洗浄する場合は上記のように切替弁２７を図１３の状態にすることに加えて、切替弁２８を、操作ダイヤル５４を回動操作してカム４７を回転させ、突片４９と一次カム溝部４８ａとが嵌合する図１６の状態にする。この状態では循環洗浄流路２０の球状弁４０ａは、押出片５３ａがボール４１ａを押圧して弁座４２ａから離し、球状弁４０ａが開いた状態となっており、排水流路１８の排水側の球状弁４０ｂは、押出片５３ｂがボール４１ｂと接しておらず、ボール４１ｂは浴水２の流圧により、弁座４２ｂと接して球状弁４０ｂが閉じた状態となっている。この状態では浴水２は循環洗浄流路２０に流れ、その流圧によって循環洗浄流路２０側の羽根車４３ａを回転させる。羽根車４３ａの回転入力は上記のように減速輪列４５ａ、４６ａを介してカム４７の回転運動に出力する。この時、カム４７は突片４９との嵌合部が一次カム溝部４８ａから切替カム溝部４８ｃに移動するように回転するようにしてあるものである。図１６の状態から循環洗浄流路２０に一定の流量の浴水２が流れると、カム４７の突片４９との嵌合部が一次カム溝部４８ａから切替カム溝部４８ｃに移動し、バネ５１の弾性力によって制御杆５２が排水流路１８の排水側の方向に軸方向へ移動すると共に、カム４７の突片４９との嵌合部が切替カム溝部４８ｃから二次カム溝部４８ｂに移動して、図１７のように排水流路１８の排水側の球状弁４０ｂは、押出片５３ｂがボール４１ｂを押圧して弁座４２ｂから離し、球状弁４０ｂが開いた状態となり、循環洗浄流路２０の球状弁４０ａは、押出片５３ａがボール４１ａと接しておらず、ボール４１ａは浴水２の流圧により、弁座４２ａと接して球状弁４０ａが閉じた状態となる。この状態では浴水２は排水流路１８の排水側に流れ、その流圧によって排水流路１８の排水側の羽根車４３ｂを回転させる。羽根車４３ｂの回転入力は上記のように減速輪列４５ｂ、４６ｂを介してカム４７の回転運動に出力する。なおこの時にはまだ切替弁２７は図１３に示すような精密濾過フィルタ洗浄流路にのみ浴水２を送る状態になっており、図１８に示すような状態に切替わっていないものであるように調整されているものである。図１７の状態から排水流路１８の排水側に一定の流量の浴水２が流れると、カム４７の突片４７との嵌合部が二次カム溝部４８ｂから中間カム溝部４８ｄに移動し、図１５の状態に戻る。この時同時に切替弁２７も図１３に示す状態から図１８に示すような状態に切替わり、浴水２を吐出流路９の浴槽１方向にのみに送る状態になるものであるように調整されているものである。
【００４１】
上記のように切替弁２７、２８を構成すると、図１に示す浴槽水清浄化装置において、図２に示すように浴槽１の浴水２を循環清浄化する際にメカニカルタイマーを作動させると、一定の流量の浴水２が循環すると、切替弁２８が切替わって浴水２の流路は図３に示すもののように自動的に切替わり、浴水２の排水と流路の濯ぎが行われ、この状態で更に一定の流量が流れると、切替弁２７及び切替弁２８が同時に切替わり、浴水２の流路が浴水２を精密濾過フィルタ１２を用いずに循環清浄化する流路に自動的に切替わるものである。
【００４２】
また、図６に示す浴槽水清浄化装置の切替弁２７として上記と同様のメカニカルタイマーにて構成したものを用い、図８に示すように精密濾過フィルタ１２を洗浄するに際メカニカルタイマーを作動させると、一定の流量の浴水２が流れた後に、切替弁２７が切替わり、浴水２の流路が浴水２を精密濾過フィルタ１２を用いずに循環清浄化する流路に自動的に切替わるものである。
【００４３】
上記のように切替弁２７、２８としてメカニカルタイマーによって構成されているものを使用することによって、切替弁２７、２８のタイマー操作のための電源が不要となり、電気絶縁を施す必要なく図１０、１１に示す本発明の実施の形態のように切替弁２７、２８を浴槽２内の浴槽内ブロック３９に設けることができ、またユーザーがメカニカルタイマーの切替え設定をすることによって、精密濾過フィルタ１２の洗浄状態から洗浄に用いた浴水２の排水への切替え、更に浴槽１中の浴水２の循環清浄化への切替え、等の浴槽水清浄化装置の動作の切替えが自動的且つ容易に行えるものである。
【００４４】
【発明の効果】
上記のように本発明の請求項１に記載の発明は、循環ポンプを用いて浴槽中の浴水を循環させながら清浄化する浴槽水清浄化装置であって、循環ポンプの上流側において浴槽中の浴水を吸入する吸入流路と、循環ポンプの下流側において清浄化された浴水を吐出する吐出流路を設け、吐出流路から精密濾過フィルタの導入口に浴水を送る精密濾過フィルタ導入流路を吐出流路から分岐して設けると共に、精密濾過フィルタ中で濾過された浴水を精密濾過フィルタの導出口から吸入流路へ送る精密濾過フィルタ導出流路を精密濾過フィルタの導出口と吸入流路との間に設けて成るため、精密濾過フィルタによって直径０．００１〜１０μｍの粒子状の細菌やコロイド状の汚れを取り除くことにより、浴槽水清浄化装置の設置直後や、濾過材の交換直後から浴水の白濁を防止することができ、また精密濾過フィルタが目詰まりを起こしても、浴槽水清浄化装置を循環する浴水の流量を十分確保でき、吐出流路から浴槽中に送られる浴水の流量が確保できるので、循環ポンプに多大な負担がかからないようにできるものであり、また、精密濾過フィルタが目詰まりを起こしても、吐出流路から浴槽１内に送られる浴水の流量も確保できるため吐出流路から浴槽内に送られる浴水の流速により浴槽内の浴水２が攪拌され、浴槽内で浴水が一部に滞ることながなく、浴槽内の浴水を万遍なく浴槽水清浄化装置内に循環させることができるものである。また吐出流路から分岐して設けられた精密濾過フィルタ導入流路から精密濾過フィルタの導入口に循環ポンプの正加圧がかかると共に、吸入流路に接続した精密濾過フィルタ導出流路から精密濾過フィルタの導出口に循環ポンプの吸引力が働くため、精密濾過フィルタの導入口と導出口の間の圧力差を大きくすることができ、従って精密濾過フィルタを通る浴水の流量を大きくすることができ、精密濾過フィルタによる浄化能力を増加し、浴槽水清浄化装置の浄化能力を向上することができるものである。さらに、精密濾過フィルタにて浄化された浴水は浴槽水清浄化装置内を循環する過程で浴槽水清浄化装置内を循環する浴水と確実に混合されるため、精密濾過フィルタを通過した浴水のみが浴槽内部に滞ることがなく、浴槽内部における精密濾過フィルタを通過した浴水の混合の度合いを良好なものにすることができるものである。
【００４５】
また、吐出流路と精密濾過フィルタ導入流路との分岐点に流量調整可能な切替弁を設けて成るため、浴槽１内の浴水に白濁の汚れが多い時には切替弁から精密濾過フィルタ導入流路に送られる浴水の流量の割合が大きくなるように切替弁を調整し、浴槽内の浴水に白濁の汚れががごく少ないか、全く見られない場合は切替弁から精密濾過フィルタ導入流路に送られる浴水の流量の割合が小さくなるか、全く送らなくなるように切替弁を調整するなどして、浴槽中の浴水の汚れ具合によって精密濾過フィルタ導入流路に送られる浴水の流量の割合を任意に変えることができ、従って浴槽中の浴水の汚れ具合に関わらず精密濾過フィルタに常に一定の浴水を通すようなことがなく、精密濾過フィルタの目詰まりを低減できるものである。また、切替弁から精密濾過フィルタ導入流路に送られる浴水の流量の割合を大きくして、浴槽内の浴水を急速に浄化することができるものである。
【００４６】
また、吐出流路から精密濾過フィルタの洗浄水注入口に浴水を送る精密濾過フィルタ洗浄流路を吐出流路から分岐して設け、その吐出流路からの分岐点に切替弁を設けると共に、精密濾過フィルタを通過して洗浄に用いられた浴水を精密濾過フィルタの洗浄水排出口から浴槽水清浄化装置外に排水する排水流路を精密濾過フィルタの洗浄水排出口に接続して設けて成るため、精密濾過フィルタの濾過膜に汚れが付着し、目詰まりを起こした際に、切替弁を調整することにより、精密濾過フィルタを洗浄することができ、そのため精密濾過フィルタの浄化能力を回復させることができ、精密濾過フィルタの浄化能力を長く維持できるものである。さらに、精密濾過フィルタで取り除いた浴水中の汚れを排水流路を通じて確実に浴槽水清浄化装置外へ捨てることができるものである。
【００４７】
また本発明の請求項２に記載の発明は、請求項１の構成に加えて、精密濾過フィルタの洗浄に用いられた浴水を吸入流路に送る精密濾過フィルタ循環洗浄流路を排水流路から分岐して設け、その分岐点に切替弁を設けたため、切替弁を調整することにより精密濾過フィルタを浴槽水洗浄化装置内を循環する浴水によって循環洗浄することができ、精密濾過フィルタの濾過膜を洗浄する際の浴水の循環経路を短くできるため循環ポンプにかかる負荷が小さくなり単位時間当たりの浴水の流量を増加できるので、精密濾過フィルタの濾過膜の洗浄時の、濾過膜が浴水２の対流から受ける衝撃力を大きくすることができ、精密濾過フィルタの濾過膜の洗浄力を向上することができるものである。また、精密濾過フィルタの洗浄時間を長くしても、洗浄によって排水される浴水は、浴槽水清浄化装置内を循環する浴水と精密濾過フィルタの濾過膜に付着していた汚れが循環していた流路を濯ぐための浴水のみであり、洗浄時の浴水の排水が少なくなるものであり、かつ、精密濾過フィルタの濾過膜を十分に洗浄することができるものである。また、精密濾過フィルタの濾過膜の洗浄に用いた浴水は上記のように、浴槽内に送られずに浴槽水清浄化装置外に排出されるものであるから、浴槽水清浄化装置内を循環して精密濾過フィルタの濾過膜を洗浄する浴水をヒーターによって、加熱殺菌に必要な７０〜７５℃の高温に加熱したり、塩素発生（投入）装置によってこの浴水に塩素濃度が１ｐｐｍ程度になるまで塩素を投入したりすることができるものであり、このようにすることによって、浴槽水清浄化装置内の殺菌及び精密濾過フィルタに付着した細菌の殺菌を確実に行うことができるものである。
【００４８】
また本発明の請求項３に記載の発明は、請求項１又は２の構成に加えて、精密濾過フィルタ洗浄流路にエアポンプまたはイジェクタにて空気を混入するため、精密濾過フィルタの洗浄時に、濾過膜が浴水の流速から受ける衝撃力に加えて、気泡の振動により精密濾過フィルタの濾過膜に付着した汚れが取り除かれるため、精密濾過フィルタの洗浄効果を増大することができるものである。
【００４９】
また本発明の請求項４に記載の発明は、請求項３の構成において、精密濾過フィルタ洗浄流路にエアポンプまたはイジェクタを備えるため、精密濾過フィルタ洗浄流路、精密濾過フィルタの原液室、及び排水流路に滞留している浴水にエアポンプにて気泡を送り込み、原液室内における気泡の振動により精密濾過フィルタの濾過膜の洗浄を行うことができ、精密濾過フィルタの濾過膜の洗浄時において浴槽水清浄化装置外に排水する浴水の量を少なくすることができ、また精密濾過フィルタの濾過膜の洗浄を行うと同時に浴槽内の浴水を浴槽水清浄化装置にて循環清浄化することができるので、入浴時間帯を外して精密濾過フィルタの濾過膜の洗浄を行う等、精密濾過フィルタの濾過膜の洗浄時間や時期を気にしたりする必要をなくすことができるものである。
【００５０】
また本発明の請求項５に記載の発明は、請求項１乃至４のいずれかの構成に加えて、吐出流路と精密濾過フィルタ洗浄流路との分岐点に設けた切替弁と、排水流路と精密濾過フィルタ循環洗浄流路との分岐点に設けた切替弁とを、流水を動力とするメカニカルタイマーにて構成したため、切替弁のタイマー操作のための電源が不要となり、電気絶縁を施す必要なく切替弁を浴槽内の浴槽内ブロックに設けることができ、またユーザーがメカニカルタイマーの切替え設定をすることによって、精密濾過フィルタの洗浄状態から洗浄に用いた浴水の排水への切替え、更に浴槽中の浴水の循環清浄化への切替え、等の浴槽水清浄化装置の動作の切替えが自動的且つ容易に行えるものである。
【００５１】
また本発明の請求項６に記載の発明は、請求項１乃至５のいずれかの構成に加えて、精密濾過フィルタを浴槽水浄化装置本体外に設置したため、精密濾過フィルタを浴槽中に設置された浴槽内ブロックであって、プレフィルタ及び吐出流路の吐出口を収めた浴槽内ブロック内に設けることができ、浴槽水清浄化装置本体をコンパクトに形成することができると共に、精密濾過フィルタを浴槽内ブロックに設けることができるため、精密濾過フィルタのメンテナンスを容易に行うことができるものである。
【図面の簡単な説明】
【図１】本発明の実施の形態の一例を示す概略図である。
【図２】図１に示す浴槽水清浄化装置の使用状態の形態の一例を示す概略図である。
【図３】図１に示す浴槽水清浄化装置の使用状態の形態の他の例を示す概略図である。
【図４】図１に示す浴槽水清浄化装置の使用状態の形態の更に他の例を示す概略図である。
【図５】図１に示す浴槽水清浄化装置の使用状態の形態の更に他の例を示す概略図である。
【図６】本発明の実施の形態の他の例を示す概略図である。
【図７】図６に示す浴槽水清浄化装置の使用状態の形態の一例を示す概略図である。
【図８】図６に示す浴槽水清浄化装置の使用状態の形態の他の例を示す概略図である。
【図９】図６に示す浴槽水清浄化装置の使用状態の形態の更に他の例を示す概略図である。
【図１０】本発明の実施の形態の更に他の例を示す概略図である。
【図１１】本発明の実施の形態の更に他の例を示す概略図である。
【図１２】本発明に用いる精密濾過フィルタの一例を示す断面図である。
【図１３】本発明の実施で用いるメカニカルタイマーの一例の断面図である。
【図１４】同上のメカニカルタイマーの他の動作を示す断面図である。
【図１５】本発明で用いるメカニカルタイマーの他の例を示す断面図である。
【図１６】同上のメカニカルタイマーの他の動作を示す断面図である。
【図１７】同上のメカニカルタイマーの更に他の動作を示す断面図である。
【図１８】（ａ）乃至（ｄ）は本発明の実施の形態で用いるメカニカルタイマーに用いられるカムの例を示すものであって、（ａ）は正面図、（ｂ）は（ａ）のＡ−Ａ断面図、（ｃ）は（ａ）のＣ部分の側面図、（ｄ）は（ａ）のＢ部分の側面図である。
【図１９】従来の浴槽水清浄化装置を示す概略断面図である。
【符号の説明】
１  浴槽
２  浴水
３  吸入流路
６  循環ポンプ
９  吐出流路
１２  精密濾過フィルタ
１５  エアポンプ
１６  精密濾過フィルタ導入流路
１７  精密濾過フィルタ導出流路
１８  排水流路
１９  精密濾過フィルタ洗浄流路
２０  精密濾過フィルタ循環洗浄流路
２６  切替弁
２７  切替弁
２８  切替弁
３１  導入口
３２  導出口
３３  洗浄水注入口
３４  洗浄水排出口
【図１】
0003675114.tif 000002
【図２】
0003675114.tif 000003
【図３】
0003675114.tif 000004
【図４】
0003675114.tif 000005
【図５】
0003675114.tif 000006
【図６】
0003675114.tif 000007
【図７】
0003675114.tif 000008
【図８】
0003675114.tif 000009
【図９】
0003675114.tif 000010
【図１０】
0003675114.tif 000011
【図１１】
0003675114.tif 000012
【図１２】
0003675114.tif 000013
【図１３】
0003675114.tif 000014
【図１４】
0003675114.tif 000015
【図１５】
0003675114.tif 000016
【図１６】
0003675114.tif 000017
【図１７】
0003675114.tif 000018
【図１８】
0003675114.tif 000019
【図１９】
0003675114.tif 000020